(57)【特許請求の範囲】
【請求項１】
撮像手段と、
表示手段と、
前記撮像手段が設けられた第１筐体と、
当該第１筐体と回動可能に接続された部材と、
外部装置からの接続要求をクレイドルを介さずに検出する検出手段と、
前記第１筐体と前記部材との位置関係を判断する位置関係判断手段と、
前記検出手段により接続要求が検出され、前記位置関係判断手段により前記位置関係が第１の位置関係であると判断されると、前記撮像手段により撮像された画像のデータをクレイドルを介さずに前記外部装置に転送するよう制御する第１の制御手段と、
を備えたことを特徴とする撮像装置。
【請求項２】
前記位置関係判断手段は、前記第１筐体と前記部材とが一定の角度範囲を構成するように回動している関係を前記第１の位置関係として判断する一方で、前記第１筐体と前記部材との位置関係とが前記第１の位置関係と異なるような位置関係を第２の位置関係と判断する、
ことを特徴とする請求項１に記載の撮像装置。
【請求項３】
前記第１の制御手段は、前記検出手段により接続要求が検出された後、前記位置関係判断手段により前記位置関係が第１の位置関係であると判断された場合、前記撮像手段により撮像されている画像のデータをクレイドルを介さずに前記外部装置に転送するよう制御する、
ことを特徴とする請求項１に記載の撮像装置。
【請求項４】
前記表示手段が設けられ、前記第１筐体と回動可能に接続された第２筐体を更に備え、
前記位置関係判断手段は、前記第１筐体と前記部材とが一定の角度範囲を構成するように回動し、かつ、前記第１筐体の前記撮像手段の撮像側の面と前記第２筐体の前記表示手段の表示側の面とが略同一の方向を向いている関係を、前記第１の位置関係として判断する、
ことを特徴とする請求項２に記載の撮像装置。
【請求項５】
前記位置関係判断手段により第２の位置関係であると判断されると、前記表示手段に画像を表示させるよう制御する第２の制御手段を更に備えたことを特徴とする請求項１乃至４のいずれか１項に記載の撮像装置。
【請求項６】
前記第２の制御手段は、前記位置関係判断手段により前記第２の位置関係であると判断され、前記検出手段により接続要求が検出されると、更に、前記外部装置からの電力の供給を受け付けるよう制御する、
ことを特徴とする請求項５に記載の撮像装置。
【請求項７】
前記部材は、前記位置関係判断手段による位置関係の判断の際に、本撮像装置の足場として使用される、
ことを特徴とする請求項１乃至６のいずれか１項に記載の撮像装置。
【請求項８】
撮像手段及び表示手段を備え、前記撮像手段が設けられた筐体と、当該筐体と回動可能に接続された部材とを有する撮像装置が実行する撮像制御方法において、
外部装置からの接続要求をクレイドルを介さずに検出する検出ステップと、
前記筐体と前記部材との位置関係を判断する位置関係判断ステップと、
前記検出ステップの処理により接続要求が検出され、前記位置関係判断ステップの処理により前記位置関係が第１の位置関係であると判断された場合、前記撮像手段により撮像されている画像のデータをクレイドルを介さずに前記外部装置に転送するよう制御する制御ステップと、
を含むことを特徴とする撮像制御方法。
【請求項９】
撮像手段及び表示手段を備え、前記撮像手段が設けられた筐体と、当該筐体と回動可能に接続された部材とを有する撮像装置を制御するコンピュータを、
外部装置からの接続要求をクレイドルを介さずに検出する検出手段、
前記筐体と前記部材との位置関係を判断する位置関係判断手段、
前記検出手段により接続要求が検出され、前記位置関係判断手段により前記位置関係が第１の位置関係であると判断された場合、前記撮像手段により撮像されている画像のデータをクレイドルを介さずに前記外部装置に転送するよう制御する制御手段、
として機能させることを特徴とするプログラム。
【発明の詳細な説明】
【技術分野】
【０００１】
本発明は、撮像装置、撮像制御方法及びプログラムに関する。
【背景技術】
【０００２】
近年、デジタルカメラ等の撮像装置は、高機能及び多機能化に伴い、複数の動作モードで動作することが可能になっている。
このため、例えば特許文献１には、クレードルに対する撮像装置の載置方向に応じて、２つの動作モードを切り替える技術が開示されている。
【先行技術文献】
【特許文献】
【０００３】
【特許文献１】特開２００５−２２９５３８号公報
【発明の概要】
【発明が解決しようとする課題】
【０００４】
しかしながら、特許文献１に記載の技術では、クレードルがなければ、撮像装置の動作モードの切り替えができないという問題があった。
【０００５】
本発明は、このような状況に鑑みてなされたものであり、クレードルがなくとも撮像装置の動作モードの切り替えを容易に行うことを目的とする。
【課題を解決するための手段】
【０００６】
上記目的を達成するため、請求項１に記載の発明は、
撮像手段と、
表示手段と、
前記撮像手段が設けられた第１筐体と、
当該第１筐体と回動可能に接続された部材と、
外部装置からの接続要求をクレイドルを介さずに検出する検出手段と、
前記第１筐体と前記部材との位置関係を判断する位置関係判断手段と、
前記検出手段により接続要求が検出され、前記位置関係判断手段により前記位置関係が第１の位置関係であると判断されると、前記撮像手段により撮像された画像のデータをクレイドルを介さずに前記外部装置に転送するよう制御する第１の制御手段と、
を備えた撮像装置であることを特徴とする。
【０００８】
また、上記目的を達成するために、請求項２に記載の発明は、
前記位置関係判断手段は、前記第１筐体と前記部材とが一定の角度範囲を構成するように回動している関係を前記第１の位置関係として判断する一方で、前記第１筐体と前記部材との位置関係とが前記第１の位置関係と異なるような位置関係を第２の位置関係と判断する、
ことを特徴とする。
【０００９】
また、上記目的を達成するために、請求項３に記載の発明は、
前記第１の制御手段は、前記検出手段により接続要求が検出された後、前記位置関係判断手段により前記位置関係が第１の位置関係であると判断された場合、前記撮像手段により撮像されている画像のデータをクレイドルを介さずに前記外部装置に転送するよう制御する、
ことを特徴とする。
また、上記目的を達成するために、請求項４に記載の発明は、前記表示手段が設けられ、前記第１筐体と回動可能に接続された第２筐体を更に備え、
前記位置関係判断手段は、前記第１筐体と前記部材とが一定の角度範囲を構成するように回動し、かつ、前記第１筐体の前記撮像手段の撮像側の面と前記第２筐体の前記表示手段の表示側の面とが略同一の方向を向いている関係を、前記第１の位置関係として判断する、
ことを特徴とする。
【００１０】
また、上記目的を達成するために、請求項５に記載の発明は、
前記位置関係判断手段により第２の位置関係であると判断されると、前記表示手段に画像を表示させるよう制御する第２の制御手段を更に備えたことを特徴とする。
また、上記目的を達成するために、請求項６に記載の発明は、
前記第２の制御手段は、前記位置関係判断手段により前記第２の位置関係であると判断され、前記検出手段により接続要求が検出されると、更に、前記外部装置からの電力の供給を受け付けるよう制御する、
ことを特徴とする。
また、上記目的を達成するために、請求項７に記載の発明は、
前記部材は、前記位置関係判断手段による位置関係の判断の際に、本撮像装置の足場として使用される、
ことを特徴とする。
【００１１】
また、上記目的を達成するために、請求項８に記載の発明は、
撮像手段及び表示手段を備え、前記撮像手段が設けられた筐体と、当該筐体と回動可能に接続された部材とを有する撮像装置が実行する撮像制御方法において、
外部装置からの接続要求をクレイドルを介さずに検出する検出ステップと、
前記筐体と前記部材との位置関係を判断する位置関係判断ステップと、
前記検出ステップの処理により接続要求が検出され、前記位置関係判断ステップの処理により前記位置関係が第１の位置関係であると判断された場合、前記撮像手段により撮像されている画像のデータをクレイドルを介さずに前記外部装置に転送するよう制御する制御ステップと、
を含む撮像制御方法であることを特徴とする。
【００１２】
また、上記目的を達成するために、請求項９に記載の発明は、
撮像手段及び表示手段を備え、前記撮像手段が設けられた筐体と、当該筐体と回動可能に接続された部材とを有する撮像装置を制御するコンピュータを、
外部装置からの接続要求をクレイドルを介さずに検出する検出手段、
前記筐体と前記部材との位置関係を判断する位置関係判断手段、
前記検出手段により接続要求が検出され、前記位置関係判断手段により前記位置関係が第１の位置関係であると判断された場合、前記撮像手段により撮像されている画像のデータをクレイドルを介さずに前記外部装置に転送するよう制御する制御手段、
として機能させるプログラムであることを特徴とする。
【発明の効果】
【００１３】
本発明によれば、クレードルがなくとも撮像装置の動作モードの切り替えを容易に行うことができる。
【図面の簡単な説明】
【００１４】
【図１】本発明の一実施形態に係る撮像装置の外観構成を示す平面図である。
【図２】形態が変形した状態の撮像装置の外観構成を示す斜視図である。
【図３】外観の形態が可変な撮像装置のハードウェアの構成を示すブロック図である。
【図４】撮像装置が有する機能のうち、カメラモード起動処理の実行機能を発揮させる機能的構成を示す機能ブロック図である。
【図５】カメラモード起動処理の流れを説明するフローチャートである。
【発明を実施するための形態】
【００１５】
以下、本発明の一実施形態を図面に基づいて説明する。
【００１６】
図１は、本発明の一実施形態に係る撮像装置の外観構成を示す平面図である。
詳しくは、図１（Ａ）は、撮像面と表示面とを対向する面にそれぞれ配置させた場合の撮像装置の外観構成を示す平面図である。
図１（Ｂ）は、撮像面と表示面とを同一面に配置させた場合の撮像装置の外観構成を示す平面図である。
【００１７】
撮像装置１は、例えばデジタルカメラにより構成され、被写体を撮像し、その結果得られる画像（以下、「撮像画像」と呼ぶ）のデータを記録する他、外部（図３の外部装置６１等）に転送したり、当該撮像画像を表示することができる。
ユーザは、操作部を意識的に操作することなく、撮像装置１を所望の使用状態に対応する形態に変形させるだけで、その使用状態に応じた動作を撮像装置１に実行させることができる。
換言すると、撮像装置１は、ユーザの所望の使用状態に対応する形態に応じて、撮像画像の表示やそのデータの転送等、各種各様の動作を実行する。
【００１８】
撮像装置１は、このような各種各様の動作を可能にすべく、カメラ本体１１と、表示部本体１２と、フレーム本体１３と、を備えている。
カメラ本体１１は、平面形状六角形の短柱状に形成され、図１（Ａ）に示すように、カメラ本体１１の裏面は平坦に形成され、図１（Ｂ）に示すように、カメラ本体１１の表面には、撮像部２２の撮像面（撮像レンズ側の面）が配置されている。即ち、カメラ本体１１は、撮像部２２を内蔵する第１筐体である。
カメラ本体１１は、貫通して配置された回動軸Ａを回動中心として、表示部本体１２に対し回動可能に軸支される。
また、カメラ本体１１は、回動軸Ａに対し略直交方向に貫通して配置された回動軸Ｂを回動中心として、フレーム本体１３に対し回動可能に軸支される。
より具体的には、カメラ本体１１は、カメラ本体１１の外形である六角形のうちの一の角（以下、「摺動角」と呼ぶ）を表示部本体１２に摺接させながら、回動軸Ａを中心として回動しうるように構成される。
【００１９】
なお、以下、撮像装置１のうち、カメラ本体１１が設置されている側（図１の左側）を「カメラ側」と呼び、表示部本体１２が設置されている側（図１の右側、即ち、特にカメラ本体１１に対向する側と反対側）を「表示部側」と呼ぶ。
【００２０】
表示部本体１２は、平面形状略矩形に形成され、その表面の中央には矩形状の表示部２１の表示面が配置されている。即ち、表示部本体１２は、表示部２１を内蔵する第２筐体である。
表示部本体１２のカメラ側は、カメラ本体１１の摺動角に対応して、Ｖ字状に凹んで形成されている。
【００２１】
フレーム本体１３は、底辺部と、該底辺部の両端において該底辺部に対し略直交方向に延設された略平行の２本の腕と、により平面形状略コ字状に形成されている。
フレーム本体１３の底辺は、フレーム本体１３の２本の腕が延設されている方向とは逆方向（表示部側）に、Ｖ字状に突出して形成されている。なお、表示部本体１２の表示部側は、Ｖ字状に突出して形成されたフレーム本体１３の底辺の形状に合わせて、同一方向（表示部側の方向）にＶ字状に突出して形成されている。
【００２２】
フレーム本体１３は、第１筐体であるカメラ本体１１と、回動軸Ｂを回動中心として回動可能に接続されている。換言すると、カメラ本体１１は、フレーム本体１３の２本の腕の先端間に配置された回動軸Ｂを回動中心として、回動可能に軸支される。
従って、カメラ本体１１は、その外形の六角形の辺のうち対向する２辺をフレーム本体１３の２本の腕に当接した状態で、フレーム本体１３と軸支している。このため、カメラ本体１１は、該対向する２辺をフレーム本体１３の２本の腕にそれぞれ摺接させながら回動することができる。
【００２３】
このように、カメラ本体１１は、フレーム本体１３に対し回動可能に軸支されているため、撮像部２２の撮像面が配置されている表面の向きを自在に変えることができる。即ち、ユーザは、カメラ本体１１を回動させることで、図１（Ａ）に示すように撮像部２２の撮像面を紙面に対し奥側に配置させたり、図１（Ｂ）に示すように撮像部２２の撮像面を紙面に対し手前側に配置させたることができる。
従って、ユーザは、被写体が紙面に対し奥側に存在する場合には、回動軸Ｂを中心としてカメラ本体１１を回動して図１（Ａ）の状態することで、向こう側の被写体を撮像部２２に撮像させることができる。
これに対して、ユーザは、自己を被写体として撮像する場合等、被写体が手前側に存在する場合には、回動軸Ｂを中心としてカメラ本体１１を回動して図１（Ｂ）の状態にすることで、紙面に対し奥側の被写体を撮像部２２に撮像させることができる。
【００２４】
図２は、形態が変形した状態の撮像装置１の外観構成を示す斜視図である。
【００２５】
図２（Ａ）は、表示部２１の表示面と撮像部２２の撮像面との各法線が略同一の方向で、かつ、カメラ本体１１とフレーム本体１３とが所定角度拡開するように変形した状態の撮像装置１を示す斜視図である。
ユーザは、撮像装置１の使用状態としてＷＥＢカメラで使用する状態を所望する場合、撮像装置１の形態を図２（Ａ）に示す状態に変形させフレーム本体１３を台座（足場）として用いて、撮像装置１を机上等に立設することができる。
【００２６】
ここでいう「ＷＥＢカメラ」とは、ＵＳＢ（Ｕｎｉｖｅｒｓａｌ  Ｓｅｒｉａｌ  Ｂｕｓ）ケーブル３１によりＵＳＢ接続した接続先（パーソナルコンピュータ等、ここでは図３の外部装置６１）による遠隔操作を受け付け、リアルタイム画像（後述するスルー画像）のデータを接続先に転送可能なカメラをいう。
ＵＳＢとは、ホスト機器であるパーソナルコンピュータに対して、デジタルカメラ等の周辺機器を接続するためのシリアルバスの規格の１つである。このようなＵＳＢに従って、パーソナルコンピュータと周辺機器とが接続されること、又は、周辺機器同士が接続されることが、「ＵＳＢ接続」と呼ばれている。
【００２７】
この場合、ＵＳＢ接続された接続先（外部装置６１）は、例えば、撮像装置１からデータとして転送されてきたスルー画像を表示画面として表示させる他、当該スルー画像のデータを、インターネット等の所定ネットワークを介して図示せぬ他の装置に転送する。
このようにして、ユーザは、撮像装置１をＷＥＢカメラとして機能させることで、当該ＷＥＢカメラを使ったネットワーク上のコミュニケーションを図ることが可能になる
即ち、撮像装置１が図２（Ａ）に示す形態の状態で机上等に立設されると、撮像部２２の撮像面に対向するユーザの顔等が被写体として撮像され、その撮像画像（後述するスルー画像）のデータが、ネットワーク上の他の装置に転送される。
この場合、撮像部２２の撮像面と表示部２１の表示面とは略同一方向に向いているため、ユーザの顔等が移った撮像画像（後述するスルー画像）を表示部２１に表示させれば、ユーザは、他の装置に転送されている内容を即座に視認できるため、便宜である。
また、撮像装置１がＵＳＢ接続により接続先（外部装置６１）から取得した画像データを表示部２１に表示するようにしても良い。そうすれば、撮像装置１と外部装置６１とが各々有する画像データを互いにリアルタイムで視認できる。
【００２８】
このように、撮像装置１の形態が図２（Ａ）に示す状態は、撮像装置１をＷＥＢカメラとして機能させるという使用状態に適した状態であり、以下、「スタンド状態」と呼ぶ。
換言すると、スタンド状態とは、カメラ本体１１、表示部本体１２、及びフレーム本体１３の位置関係として、カメラ本体１１とフレーム本体１３とが一定の角度範囲（例えば撮像装置１が立設可能な範囲）で拡開し、かつ、表示部２１と撮像部２２とが略同一の向きとなっている関係が成立している状態をいう。
【００２９】
従って、ユーザは、撮像装置１をスタンド状態にするために、次のように撮像装置１の形態を変形させればよい。
即ち、ユーザは、カメラ本体１１とフレーム本体１３とが一定の角度範囲（例えば撮像装置１が立設可能な範囲）内の角度で拡開するまで、表示部本体１２とフレーム本体１３のうち一方を、回動軸Ｂを中心として他方に対して回動される。
また、ユーザは、カメラ本体１１の撮像面と表示部本体１２の表示面とが略同一方向を向くまで、カメラ本体１１と表示部本体１２のうち一方を、回動軸Ｂを中心として他方に対して回動される。
そして、ユーザは、このようにして表示部本体１２とフレーム本体１３とを拡開した状態で、フレーム本体１３の一の面を机上等に当接させることで、撮像装置１を縦向き（表示部２１が縦長の状態）に机上等に立設する。
これにより、撮像装置１は、ＷＥＢカメラとして機能することになる。
【００３０】
本実施形態では、さらに、撮像装置１は、ＵＳＢケーブル３１によりＵＳＢ接続されており、かつ、スタンド状態とは別の状態、例えば図２（Ｂ）に示す状態に形態が変形している場合には、充電とスライドショー表示を行う使用状態になる。
【００３１】
図２（Ｂ）は、図２（Ａ）のスタンド状態とは別の形態に変形した状態の撮像装置１を示す斜視図である。
即ち、図２（Ｂ）は、表示部２１の表示面と撮像部２２の撮像面との各法線が異なる方向となり、かつ、カメラ本体１１とフレーム本体１３とが所定角度拡開するように変形した状態の撮像装置１を示す斜視図である。
ユーザは、撮像装置１の使用状態として充電とスライドショー表示を行う状態を所望する場合、撮像装置１の形態を図２（Ｂ）に示す状態に変形させる。
【００３２】
ここでいう「充電」とは、ＵＳＢ接続された接続先（図６の外部装置６１等）からの電力の供給をＵＳＢケーブル３１を介して受け付け、当該電力を用いて、撮像装置１を駆動するバッテリを充電することをいう。
【００３３】
また、ここでいう「スライドショー表示」とは、撮像装置１のメモリ等にデータとして蓄積されている撮像画像等、各種各様の複数の画像を表示部２１にランダムに順次表示させることをいう。
なお、スライドショー表示を行っている撮像装置１は、ＵＳＢ接続されているので、接続先（図３の外部装置６１等）からデータとして転送されてきた画像も、スライドショー表示の一部として表示してもよい。
【００３４】
このように、ユーザは、撮像装置１の使用状態としてスライドショー表示及び充電がなされる状態を所望する場合、撮像装置１の形態を、図２（Ａ）のスタンド状態以外の状態、例えば図２（Ｂ）に示す状態に変形させればよい。
この場合、ユーザは、表示部本体１２とフレーム本体１３とを拡開した状態で、表示部本体１２とフレーム本体１３とを机上に当接させることで、撮像装置１を横向き（表示部２１が横長の状態）に机上等に立設する。
即ち、撮像装置１の形態が図２（Ｂ）に示す状態の場合、表示部本体１２の側面と、フレーム本体１３の２本の腕のうち一方の腕の側面とが台座（足場）として機能して、机上等の面に当接されることによって、撮像装置１が横向きに机上等に立設される。
これにより、撮像装置１は、充電とスライドショー表示を実行する。
この場合、ユーザは、回動軸Ａを介して表示部本体１２を若干回動することで、表示部本体１２に設けられている表示部２１の面を上方に傾斜させることで、スライドショー表示されている表示部２１を容易に視認することができるようになる。
【００３５】
図３は、このように外観の形態が可変な撮像装置１のハードウェアの構成を示すブロック図である。
【００３６】
撮像装置１は、上述した表示部２１及び撮像部２２に加えてさらに、ＣＰＵ（Ｃｅｎｔｒａｌ  Ｐｒｏｃｅｓｓｉｎｇ  Ｕｎｉｔ）４１と、ＲＯＭ（Ｒｅａｄ  Ｏｎｌｙ  Ｍｅｍｏｒｙ）４２と、ＲＡＭ（Ｒａｎｄｏｍ  Ａｃｃｅｓｓ  Ｍｅｍｏｒｙ）４３と、画像処理部４４と、バス４５と、入出力インターフェース４６と、充電部４７と、バッテリ４８と、回動状態検出部４９と、操作部５０と、記憶部５１と、ＵＳＢインターフェース５２と、通信部５３と、ドライブ５４と、を備えている。
【００３７】
ＣＰＵ４１は、ＲＯＭ４２に記録されているプログラム、又は、記憶部２４からＲＡＭ４３にロードされたプログラムに従って各種の処理を実行する。
【００３８】
ＲＡＭ４３には、ＣＰＵ４１が各種の処理を実行する上において必要なデータ等も適宜記憶される。
【００３９】
画像処理部４４は、ＤＳＰ（Ｄｉｇｉｔａｌ  Ｓｉｇｎａｌ  Ｐｒｏｃｅｓｓｏｒ）や、ＶＲＡＭ（Ｖｉｄｅｏ  Ｒａｎｄｏｍ  Ａｃｃｅｓｓ  Ｍｅｍｏｒｙ）等から構成されており、ＣＰＵ４１と協働して、画像のデータに対して各種画像処理を施す。
例えば、画像処理部１４は、撮像部２２から出力される撮像画像のデータに対して、ノイズ低減、ホワイトバランスの調整、手ぶれ補正等の画像処理を施す。
【００４０】
ＣＰＵ４１、ＲＯＭ４２、ＲＡＭ４３、及び画像処理部４４は、バス４５を介して相互に接続されている。このバス４５にはまた、入出力インターフェース４６も接続されている。入出力インターフェース４６には、表示部２１、撮像部２２、充電部４７、回動状態検出部４９、操作部５０、記憶部５１、ＵＳＢインターフェース５２、通信部５３、及びドライブ５４が接続されている。
【００４１】
表示部２１は、スライドショー表示による複数の画像や、後述するスルー画像等、各種画像を表示可能なディスプレイ等により構成される。
【００４２】
撮像部２２は、図示はしないが、光学レンズ部と、イメージセンサと、を備えている。
【００４３】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００４４】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部２２の出力信号として出力される。
このような撮像部２２の出力信号が、撮像画像のデータであり、ＣＰＵ４１、画像処理部４４等に適宜供給される。
【００４５】
充電部４７は、撮像装置１の動作モードとして充電モードが起動すると、後述するＵＳＢインターフェース５２及びＵＳＢケーブル３１を介して接続される外部装置６１から供給されてくる電力を用いて、バッテリ４８を充電する。
バッテリ４８は、このような充電部４７により充電され、撮像装置１全体に対して電力を供給することで、撮像装置１を駆動する。なお、バッテリ４８は、撮像装置１に対して予め内蔵されているものでもよいし、取り外し自在な外部のものであってもよい。
【００４６】
回動状態検出部４９は、カメラ本体１１、表示部本体１２、及びフレーム本体１３の各々の回動状態、例えば所定の基準位置に対する回転角度を検出する。
【００４７】
操作部５０は、例えば、図示せぬレリーズ釦等の各種釦により構成され、ユーザの指示操作を受け付ける。
【００４８】
記憶部５１は、ＤＲＡＭ（Ｄｙｎａｍｉｃ  Ｒａｎｄｏｍ  Ａｃｃｅｓｓ  Ｍｅｍｏｒｙ）等で構成され、後述するスルー画像等の各種画像のデータを記憶する。
【００４９】
ＵＳＢインターフェース５２は、ＵＳＢケーブル３１を介して、パーソナルコンピュータ等の外部装置６１とＵＳＢ接続することができる。
【００５０】
通信部５３は、インターネットを含むネットワークを介して他の装置（図示せぬ装置の他、外部装置６１も含む）との間で行う通信を制御する。
【００５１】
ドライブ５４には、磁気ディスク、光ディスク、光磁気ディスク、或いは半導体メモリ等よりなる、リムーバブルメディア５５が適宜装着される。ドライブ５４によってリムーバブルメディア５５から読み出されたプログラムは、必要に応じて記憶部５１にインストールされる。また、リムーバブルメディア５５は、記憶部５１に記憶されている画像のデータ等の各種データも、記憶部５１と同様に記憶することができる。
【００５２】
このようなハードウェア構成の撮像装置１は、カメラモード起動処理を実行することができる。
カメラモード起動処理とは、カメラ本体１１、表示部本体１２、及びフレーム本体１３の各々の位置関係に応じて、撮像装置１の動作モードを切り替えて起動させ、起動させた動作モードに従った処理を実行するまでの一連の処理をいう。
カメラモード起動処理で切り替えられる動作モードの種類については後述する。
【００５３】
図４は、撮像装置１が有する機能のうち、カメラモード起動処理の実行機能を発揮させる機能的構成を示す機能ブロック図である。
【００５４】
カメラモード起動処理が実行される場合、ＣＰＵ４１においては、接続検出部７１、位置関係判断部７２、カメラモード起動部７３、ＷＥＢカメラモード制御部７４、スライドショーモード制御部７５、及び充電モード制御部７６が機能する。
【００５５】
接続検出部７１は、外部からの接続要求があったか否かを検出する。本実施形態では、接続検出部７１は、ＵＳＢインターフェース５２及びＵＳＢケーブル３１を介して外部装置６１がＵＳＢ接続したか否かを検出する。
【００５６】
位置関係判断部７２は、回動状態検出部４９の検出結果に基づいて、カメラ本体１１、表示部本体１２、及びフレーム本体１３の各々の位置関係を判断する。
例えば、位置関係判断部７２は、撮像装置１の形状面（位置関係）の状態が、上述の図２（Ａ）に示すスタンド状態であるのか、それともそれ以外の状態（図２（Ｂ）に示す状態等の別状態）であるのかを判定する。
【００５７】
カメラモード起動部７３は、接続検出部７１の検出結果及び位置関係判断部７２の判断結果に基づいて、複数種類の動作モードのうち１以上の動作モードを起動させる。
【００５８】
本実施形態では、カメラモード起動部７３は、接続検出部７１によりＵＳＢ接続が検出され、かつ、位置関係判断部７２によりスタンド状態（図２（Ａ）の状態）であることが判断された場合、ＷＥＢカメラモードを起動させる。
「ＷＥＢカメラモード」とは、撮像装置１を上述のＷＥＢカメラとして機能させるモードである。即ち、撮像装置１が、後述するスルー画像のデータを、ＵＳＢインターフェース５２及びＵＳＢケーブル３１を介して外部装置６１に転送するモードが、ＷＥＢカメラモードである。
【００５９】
一方、本実施形態では、カメラモード起動部７３は、接続検出部７１によりＵＳＢ接続が検出され、かつ、位置関係判断部７２によりスダンド状態以外の状態（例えば図２（Ｂ）等の状態）であることが判断された場合、スライドショーモード及び充電モードを起動させる。
「スライドショーモード」とは、上述のスライドショー表示を行うモードである。即ち、撮像装置１が、各種各様の画像をランダムに表示部２１に順次表示させるモードが、スライドショーモードである。
「充電モード」とは、撮像装置１が、ＵＳＢ接続された外部装置６１から供給された電力を用いて、撮像装置１の駆動用のバッテリ４８に対する充電を行うモードである。
【００６０】
ＷＥＢカメラモード制御部７４は、カメラモード起動部７３によりＷＥＢカメラモードが起動されると、撮像装置１を上述のＷＥＢカメラとして機能させるように制御する。
即ち、ＷＥＢカメラモード制御部７４は、先ず、撮像部２２による撮像動作を継続させる。そして、ＷＥＢカメラモード制御部７４は、撮像部２２による撮像動作が継続されている間、当該撮像部２２を介して画像処理部４４から順次出力される撮像画像（フレーム）のデータを、メモリ（本実施形態では記憶部５１）に一時的に記憶させる。このようなＷＥＢカメラモード制御部７４による一連の制御処理を、以下「スルー撮像処理」と呼ぶ。
また、ＷＥＢカメラモード制御部７４は、スルー撮像処理時にメモリ（本実施形態では記憶部５１）に一時的に記録された各画像データを順次読み出して、各々に対応する撮像画像（フレーム）を表示部２１に順次表示させる。このようなＷＥＢカメラモード制御部７４による一連の制御処理を、以下「スルー表示処理」と呼ぶ。なお、スルー表示処理により表示部２１に表示されているフレーム画像を、以下、「スルー画像」と呼ぶ。
さらに、ＷＥＢカメラモード制御部７４は、当該スルー画像のデータを、ＵＳＢインターフェース５２を介して、ＵＳＢ接続された外部装置６１に転送する。
【００６１】
スライドショーモード制御部７５は、カメラモード起動部７３によりスライドショーモードが起動されると、スライドショー表示を表示部２１で行うように制御する。
即ち、スライドショーモード制御部７５は、リムーバブルメディア５５に記録された複数の画像データからランダムに１枚の画像データを順次読み出して、各々に対応する画像を表示部２１に順次表示させる。
【００６２】
充電モード制御部７６は、カメラモード起動部７３により充電モードが起動されると、充電部４７を制御して、ＵＳＢインターフェース５２を介して外部装置６１から供給される電力を用いて、バッテリ４８を充電する。
【００６３】
次に、図５を参照して、このような図４の機能的構成の撮像装置１が実行するカメラモード起動処理について説明する。
図５は、カメラモード起動処理の流れを説明するフローチャートである。
【００６４】
カメラモード起動処理は、本実施形態では、ユーザが電源を投入する操作を操作部５０に対して行った場合、その操作を契機として開始される。即ち、次のような処理が実行される。
【００６５】
ステップＳ１において、ＵＳＢインターフェース５２を介する外部装置６１とのＵＳＢ接続の検出の試みを行う。
ステップＳ２において、接続検出部７１は、このようなステップＳ１の処理の試みに成功したか否か、即ちＵＳＢ接続を検出したか否かを判定する。
【００６６】
ＵＳＢ接続が検出されなかった場合、ステップＳ２においてＮＯであると判定されて、処理はステップＳ１に戻される。即ち、ＵＳＢ接続が検出されるまでの間、ステップＳ１，Ｓ２のループ処理が繰り返し実行されて、カメラモード起動処理は待機状態となる。
【００６７】
その後、ＵＳＢ接続が検出された場合、ステップＳ２においてＹＥＳであると判定されて、処理はステップＳ３に進む。
ステップＳ３において、位置関係判断部７２は、撮像装置１の形態の状態が、スタンド状態であるか否かを判定する。
【００６８】
撮像装置１の形態の状態が、図２（Ａ）に示すスタンド状態である場合、ステップＳ３においてＹＥＳであると判定されて、処理はステップＳ４に進む。
ステップＳ４において、ＷＥＢカメラモード制御部７４は、ＷＥＢカメラモードを起動させる。
【００６９】
ステップＳ５において、ＷＥＢカメラモード制御部７４は、スルー画像のデータを、ＵＳＢインターフェース５２及びＵＳＢケーブル３１を介して、接続先の外部装置６１に逐次転送する。
【００７０】
ステップＳ６において、ＷＥＢカメラモード制御部７４は、ＷＥＢカメラモードの終了指示があったか否かを判定する。
ＷＥＢカメラモードの終了指示がなかった場合、ステップＳ６においてＮＯであると判定されて、処理はステップＳ５に戻される。即ち、ＷＥＢカメラモード終了指示があるまでの間、ステップＳ５及びＳ６のループ処理が繰り返し実行され、スルー画像のデータが接続先の外部装置６１に逐次転送される。
【００７１】
例えばユーザが操作部５０に対して所定の操作を行うことで、ＷＥＢカメラモード終了の指示があった場合、ステップＳ６においてＹＥＳであると判定されて、処理はステップＳ７に進む。
ステップＳ７において、接続検出部７１は、ＵＳＢ接続が解除されたか否かを判定する。
【００７２】
ＵＳＢ接続が解除されていない場合、ステップＳ７においてＮＯであると判定されて、処理はステップＳ１に戻される。即ち、ＵＳＢ接続が解除されるまでの間、ステップＳ１乃至Ｓ７の処理が繰り返し実行される。
【００７３】
その後、ＵＳＢケーブル３１の取り外し等に起因してＵＳＢ接続が解除された場合、ステップＳ７においてＹＥＳであると判定されて、カメラモード起動処理は終了となる。
【００７４】
以上、撮像装置１の形態の状態が図２（Ａ）に示すスタンド状態の場合の処理について説明した。次に、撮像装置１の形態の状態がスタンド状態以外の場合、例えば図２（Ｂ）に示す状態の場合の処理について説明する。
このような場合には、ステップＳ３においてＮＯであると判定されて、処理はステップＳ８に進む。
【００７５】
ステップＳ８において、カメラモード起動部７３は、スライドショーモード及び充電モードを起動する。
【００７６】
ステップＳ９において、スライドショーモード制御部７５は、表示部２１でスライドショー表示を行うと共に、充電モード制御部７６は、充電部４７を制御してバッテリ４８に対する充電動作を行う。
【００７７】
ステップＳ１０において、接続検出部７１は、ＵＳＢ接続が解除されたか否かを判定する。
【００７８】
ＵＳＢ接続が解除されていない場合、ステップＳ１０においてＮＯであると判定されて、処理はステップＳ９に戻される。即ち、ＵＳＢ接続が解除されるまでの間、ステップＳ９及びＳ１０の処理が繰り返し行われる。
【００７９】
その後、ＵＳＢケーブル３１の取り外し等に起因してＵＳＢ接続が解除された場合、ステップＳ１０においてＹＥＳであると判定されて、カメラモード起動処理は終了となる。
【００８０】
以上説明したように、本実施形態の撮像装置１は、表示部２１と撮像部２２とを備えている。
また、本実施形態の撮像装置１は、撮像部２２が設けられた筐体としてのカメラ本体１１と、カメラ本体１１と回動軸Ａで回動可能であって、表示部２１が設けられた筐体としての表示部本体１２と、カメラ本体１１と回動軸Ｂで回動可能に接続された部材であるフレーム本体１３と、を備えている。
さらに、本実施形態の撮像装置１は、接続検出部７１と、位置関係判断部７２と、ＷＥＢカメラモード制御部７４と、スライドショーモード制御部７５と、充電モード制御部７６と、を備えている。
接続検出部７１は、外部からの接続要求を検出する。具体的には、接続検出部７１は、外部装置６１とのＵＳＢ接続を検出する。
位置関係判断部７２は、カメラ本体１１、表示部本体１２、及びフレーム本体１３の位置関係を判断する。
ＷＥＢカメラモード制御部７４は、接続検出部７１により接続要求が検出され、位置関係判断部７２により位置関係がスタンド状態（第１の位置関係）であると判断された場合、撮像部２２により撮像されているスルー画像のデータを外部装置６１に転送するよう制御する。
スライドショーモード制御部７５は、接続検出部７１により接続要求が検出され、位置関係判断部７２により位置関係がスタンド状態以外の状態（第２の位置関係）であると判断されると、スライドショー表示により複数の画像を表示部２１にランダムに表示させるよう制御する。
充電モード制御部７６は、接続検出部７１により接続要求が検出され、位置関係判断部７２により位置関係がスタンド状態以外の状態（第２の位置関係）であると判断されると、外部装置６１からの電力の供給を充電部４７が受け付けて、当該電力を用いてバッテリ４８を充電するように制御する。
このようにして、クレードルがなくとも撮像装置１の動作モードの切り替えを容易に行うことが可能になる。
【００８１】
なお、本発明は、上述の実施形態に限定されるものではなく、本発明の目的を達成できる範囲での変形、改良等は本発明に含まれるものである。
【００８２】
例えば、上述の実施形態では、ＷＥＢカメラモードが起動されるスタンド状態とは、カメラ本体１１、表示部本体１２、及びフレーム本体１３の位置関係として定義されていた。即ち、カメラ本体１１とフレーム本体１３とが一定の角度範囲（例えば撮像装置１が立設可能な範囲）で構成され、かつ、表示部２１と撮像部２２とが略同一の向きとなっている関係が成立している状態が、スタンド状態として定義されていた。
しかしながら、スタンド状態はこのように定義する必要はなく、ユーザにとって撮像装置１をＷＥＢカメラとして利用し易い状態であるならば任意の状態を、スタンド状態として定義することができる。
例えば、撮像装置１がＷＥＢカメラとして機能しているならば、外部装置６１のモニタにスルー画像を表示させることができるので、スルー画像を撮像装置１の表示部２１に表示させることは必須でない。従って、撮像装置１をＷＥＢカメラとして機能させる場合に、表示部２１と撮像部２２とを必ずしも略同一の向きにする必要はない。即ち、ＷＥＢカメラモードが起動されるスタンド状態は、カメラ本体１１及びフレーム本体１３の位置関係として定義してもよい。具体的には、カメラ本体１１とフレーム本体１３とが一定の角度範囲（例えば撮像装置１が立設可能な範囲）で構成されている関係が成立している状態を、スタンド状態として定義してもよい。
【００８３】
また、上述の実施形態では、スタンド状態では、ＷＥＢカメラモードが起動され、スタンド状態以外の状態では、スライドショーモード及び充電モードが起動されたが、スタンド状態又はそれ以外の状態で起動される動作モードは、特にこれに限定されない。
例えば、スタンド状態以外の状態の場合、スライドショーモードの代わりに、マスストレージクラスへのモードを起動するようにしてもよい。
【００８４】
また、上述の実施形態では、動作モードを切り替えるための、撮像装置１の形態の状態は、スタンド状態又はそれ以外の状態の２種類とされたが、特にこれに限定されず、任意の種の状態を任意の数だけ定義し、定義した各状態に、任意の種類の任意の数の動作モードを割り当ててもよい。
例えば、図２（Ａ）に示すように机上等に立設する状態を縦向き状態と定義し、図２（Ｂ）に示すように机上等に立設する状態を横向き状態と定義し、縦向き状態と横向き状態とを区別して検出可能なものを撮像装置１に設けてもよい。この場合、縦向き状態の場合には、ＷＥＢモードが起動され、横向き状態の場合には、スライドショーモードや充電モードが起動される。
【００８５】
また、上述の実施形態では、ＵＳＢ接続を特に条件とする必要はない。例えば、ＵＳＢ接続の有無にかかわらず、撮像装置１の形態の状態がスタンド状態以外の状態の場合、先ず、スライドショーモードが起動され、その後、ＵＳＢ接続が確認されたら、さらに充電モードが起動されるようにしてもよい。
【００８６】
また、上述の実施形態では、スルー画像のデータが転送される外部装置６１との接続は、ＵＳＢ接続されたが、特にこれに限定されず任意の形態の接続でよい。そして、カメラモード起動部７３は、接続検出部７１の検出結果及び位置関係判断部７２の判断結果に基づいて、複数種類の動作モードのうち１以上の動作モードを起動させる。
【００８７】
また、上述の実施形態では、本発明が適用される電子装置は、デジタルカメラ等の撮像装置１を例として説明したが、特にこれに限定されない。本発明は、複数の動作モードを切り替え可能な電子機器一般に適用することができる。具体的には、例えば、本発明は、ノート型のパーソナルコンピュータ、ビデオカメラ、携帯型ナビゲーション装置、携帯電話装置、ポータブルゲーム機、ＷＥＢカメラ等に適用可能である。
【００８８】
上述した一連の処理は、ハードウェアにより実行させることもできるし、ソフトウェアにより実行させることもできる。また例えば、上述した一連の処理は、ハードウェアにより実行させることもできるし、ソフトウェアにより実行させることもできる。換言すると、図４の機能的構成は例示に過ぎず、特に限定されない。即ち、上述した一連の処理を全体として実行できる機能が撮像装置１に備えられていれば足り、この機能を実現するためにどのような機能ブロックを用いるのかは特に図４の例に限定されない。また、１つの機能ブロックは、ハードウェア単体で構成してもよいし、ソフトウェア単体で構成してもよいし、それらの組み合わせで構成してもよい。
【００８９】
一連の処理をソフトウェアにより実行させる場合には、そのソフトウェアを構成するプログラムが、コンピュータ等にネットワークや記録媒体からインストールされる。コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００９０】
このようなプログラムを含む記録媒体は、ユーザにプログラムを提供するために装置本体とは別に配布される図３のリムーバブルメディア５５により構成されるだけでなく、装置本体に予め組み込まれた状態でユーザに提供される記録媒体等で構成される。リムーバブルメディア５５は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図３のＲＯＭ４２や、図示せぬハードディスク等で構成される。
【００９１】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
【符号の説明】
【００９２】
１・・・撮像装置、１１・・・カメラ本体、１２・・・表示部本体、１３・・・フレーム本体、２１・・・表示部、２２・・・撮像部、３１・・・ＵＳＢケーブル、４１・・・ＣＰＵ、４２・・・ＲＯＭ、４３・・・ＲＡＭ、４４・・・画像処理部、４５・・・バス、４６・・・入出力インターフェース、４７・・・充電部、４８・・・バッテリ、４９・・・回動状態検出部、５０・・・操作部、５１・・・記憶部、５２・・・ＵＳＢインターフェース、５３・・・通信部、５４・・・ドライブ、５５・・・リムーバブルメディア、６１・・・外部装置、７１・・・接続判定部、７２・・・位置関係判断部、７３・・・カメラモード起動部、７４・・・ＷＥＢカメラモード制御部、７５・・・スライドショーモード制御部、７６・・・充電モード制御部
【図１】
0005740975.tif 000002
【図２】
0005740975.tif 000003
【図３】
0005740975.tif 000004
【図４】
0005740975.tif 000005
【図５】
0005740975.tif 000006